(57)【要約】      （修正有）【課題】乾式清掃から湿式洗浄に切り替えられる時に、湿式洗浄が実行可能になるまでの待ち時間を短縮し、或いはその待ち時間を無くして蒸気を直ちに使用可能として、作業効率が向上する乾湿両用掃除機を提供する。【解決手段】内部に貯溜されている液体を加熱手段による加熱で蒸気に変化させて外部に送出可能なボイラーを備え、吸気ポンプの吸引による乾式清掃と、ボイラーからの蒸気の送出による湿式洗浄とを選択的に行え、加熱手段は、第１の電熱ヒーターと、該ヒーターから独立し且つ該ヒーターよりも仕事率が高い第２の電熱ヒーターと、モータ及び第１の電熱ヒーターへの給電を入切する第１のスイッチと、第２の電熱ヒーターへの給電を入切する第２のスイッチとを備え、電源投入時、第１のスイッチだけがＯＮにされると、モータの作動と同時に第１の電熱ヒーターが作動して乾式清掃中にボイラー内の液体を予熱する。【選択図】図２
0003115656.tif 000002
【実用新案登録請求の範囲】
【請求項１】
ケーシング内に、ごみを吸い込むモータ付きの吸気ポンプと、吸い込まれたごみをろ過して収集する集塵容器と、内部に貯溜されている液体を加熱手段による加熱で蒸気に変化させて外部に送出可能なボイラーとを備えており、前記吸気ポンプの吸引による乾式清掃と、前記ボイラーからの蒸気の送出による湿式洗浄とを選択的に行うことができる乾湿両用掃除機において、
前記加熱手段は、前記モータと同時に作動する第１の電熱ヒーターと、前記第１の電熱ヒーターから独立し且つその第１の電熱ヒーターよりも仕事率が高い第２の電熱ヒーターと、前記モータ及び前記第１の電熱ヒーターへの給電を入り切りする第１のスイッチと、前記第２の電熱ヒーターへの給電を入り切りする第２のスイッチとを備えており、
電源投入時、前記第１のスイッチだけがＯＮにされると、前記モータの作動と同時に前記第１の電熱ヒーターが作動して乾式清掃中に前記ボイラー内の液体を予熱することができ、前記第２のスイッチだけがＯＮにされると、前記第２の電熱ヒーターが作動して前記ボイラー内の液体を加熱し蒸気を発生させることができることを特徴とする乾湿両用掃除機。
【請求項２】
前記第１の電熱ヒーターと前記第２の電熱ヒーターと前記モータとは、互いに電気的に並列され、前記第１の電熱ヒーターと前記モータとは共に前記第１のスイッチに連動するように配線され、前記第２の電熱ヒーターは前記第２のスイッチに連動するように配線されていることを特徴とする、請求項１に記載の乾湿両用掃除機。
【請求項３】
前記第１の電熱ヒーターと前記第２の電熱ヒーターとは共に前記ボイラーの底部に内蔵されていることを特徴とする、請求項１又は２に記載の乾湿両用掃除機。
【請求項４】
前記ケーシングに吸引／送出口が設けられており、且つ、前記吸気ポンプによるごみの吸引と、前記ボイラーによる蒸気の送出とは、いずれも該吸引／送出口を通して行われるように構成されていることを特徴とする、請求項１、２または３に記載の乾湿両用掃除機。
【請求項５】
前記吸気ポンプで大気から前記吸引／送出口と前記集塵容器とを順次経由して吸入し、そしてまた大気に戻らせるという吸引ルートが構成されており、且つ、前記集塵容器が前記吸気ポンプの下に設置される上、前記集塵容器と前記吸気ポンプとの間に、前記吸引／送出口から入るごみをろ過して落下させ前記集塵容器に収集させるフィルターが脱着可能に配置されていることを特徴とする、請求項４に記載の乾湿両用掃除機。
【請求項６】
前記第１の電熱ヒーターとして仕事率が３００〜５００ワットのものが使用され、前記第２の電熱ヒーターとして仕事率が１０００〜１８００ワットのものが使用されていることを特徴とする、請求項１〜５の何れか１項に記載の乾湿両用掃除機。
【考案の詳細な説明】
【技術分野】
【０００１】
本考案は、乾湿両用掃除機に関し、詳しくは、吸気ポンプの吸引による乾式清掃及びボイラーの蒸気による湿式洗浄を交替的に行うことができる乾湿両用掃除機に関する。
【背景技術】
【０００２】
従来、この種の乾湿両用掃除機は、一般的に、ケーシング内に、ごみなどを吸い込むモータ付きの吸気ポンプと、吸い込まれたごみをろ過して収集する集塵容器と、加熱手段による加熱でその中に入れてある液体を蒸気に変化させるボイラーとを備えてなったものである。この種の乾湿両用掃除機が使用される時に、乾式清掃の運転モードに選択されると、吸気ポンプによって床面のごみ、塵埃などを吸い込むことができ、また、湿式洗浄の運転モードに選択されると、ボイラーでは加熱手段による加熱でその中に入れてある液体を蒸気に変化させ、さらにボイラー内の圧力でこの蒸気を被洗浄物へ噴出して汚れやかびを落としたり、殺菌したりすることが可能である。
【０００３】
しかし、前記のような乾湿両用掃除機は、乾式清掃の運転モードから湿式洗浄の運転モードに切り替えられる時に、まず加熱手段によりボイラー内の液体を所定温度に加熱し蒸発させる必要があるため、実際に蒸気が生じて湿式洗浄を行うことができるようになるまで長い時間待たなければならない。すなわち、前記のような乾湿両用掃除機には、乾湿モードの切り替えがあまりスムースに進まないという克服すべき欠点がある。
【考案の開示】
【考案が解決しようとする課題】
【０００４】
そこで、本考案は、上記欠点に鑑みてなされたものであり、乾式清掃の運転モードから湿式洗浄の運転モードに切り替えられる時に、蒸気が生じて湿式洗浄を行うことができるようになるまで待つ時間を短縮し、あるいは直ちに蒸気を使用することも可能で、作業効率が向上する乾湿両用掃除機を提供することを目的とする。
【課題を解決するための手段】
【０００５】
前記目的を達成するために、本考案は、ケーシング内に、ごみを吸い込むモータ付きの吸気ポンプと、吸い込まれたごみをろ過して収集する集塵容器と、内部に注入された液体を加熱手段による加熱で蒸気に変化させて外部に送出可能なボイラーとを備えており、前記吸気ポンプの吸引による乾式清掃と、前記ボイラーの蒸気の送出による湿式洗浄とを選択的に行うことができる乾湿両用掃除機において、前記加熱手段が、前記モータと同時に作動する第１の電熱ヒーターと、前記第１の電熱ヒーターから独立し且つその第１の電熱ヒーターよりも仕事率が高い第２の電熱ヒーターと、前記モータ及び前記第１の電熱ヒーターへの給電を入り切りする第１のスイッチと、前記第２の電熱ヒーターへの給電を入り切りする第２のスイッチとを備えており、電源投入時、前記第１のスイッチだけがＯＮにされると、前記モータの作動と同時に前記第１の電熱ヒーターが作動して乾式清掃中に前記ボイラー内の液体を予熱することができ、前記第２のスイッチだけがＯＮにされると、前記第２の電熱ヒーターが作動して前記ボイラー内の液体を加熱し蒸気を発生させることができることを特徴とする乾湿両用掃除機を提供する。
【考案の効果】
【０００６】
前記構成による乾湿両用掃除機は、その加熱手段は前記モータと同時に作動する第１の電熱ヒーターと、前記第１の電熱ヒーターから独立し、且つその仕事率が前記第１の電熱ヒーターより高い第２の電熱ヒーターとからなる上、前記モータ及び前記第１の電熱ヒーターへの給電を入り切りする第１のスイッチと、前記第２の電熱ヒーターへの給電を入り切りする第２のスイッチとが別々に設けられているので、電源投入時、前記第１のスイッチだけがＯＮにされると、前記モータの作動と同時に前記第１の電熱ヒーターが作動して前記ボイラー内の液体を予熱することができ、一方、前記第２のスイッチだけがＯＮにされると、前記第２の電熱ヒーターが作動して前記ボイラー内の液体を加熱し蒸気を発生させることができる。そのため、前記吸気ポンプの吸引による乾式清掃の間に、前記第１の電熱ヒーターが同期に作動して前記ボイラー内の液体を予熱しておくことができ、この場合、特に予熱時間が十分であれば所定温度に達した液体の少なくとも一部を蒸気に変化させておくことも可能であり、従って、湿式洗浄の運転モードに切り替えられた時に、引き続いて前記第２の電熱ヒーターが作動して前記ボイラー内の予熱されていた液体を加熱することで可及的速やかに蒸気を発生させることができるか、或いは既にボイラー内に貯められている蒸気を直ちに送出することができる。以上の結果、乾式清掃の運転モードから湿式洗浄の運転モードに切り替えられる時に、蒸気が生じて湿式洗浄が可能になるまでの待ち時間を短縮し、或いはその待ち時間を無くして蒸気を直ちに使用可能であるため、スムーズに乾湿モードを切り替えながら清掃作業を行うことができ、作業効率が向上し、使用に極めて便利である。
【考案を実施するための最良の形態】
【０００７】
以下、本考案の一実施形態を図面を参照して説明する。
【０００８】
図１は、本考案にかかる乾湿両用掃除機の一実施形態の斜視図である。図２は、図１の実施形態の要部の側断面図である。図３は、図１の実施形態の回路図である。図４は、図１の実施形態の回路構成を示すブロック図である。
【０００９】
図１及び図２に示すように、この実施形態の乾湿両用掃除機１は、主としてケーシング１１内に、ごみなどを吸い込むモータ１２１付きの吸気ポンプ１２と、吸い込まれたごみをろ過して収集する集塵容器１３と、内部に注入、貯溜されている液体（例えば水）を加熱手段１４１による加熱で蒸気に変化させて外部に送出可能なボイラー１４とを備えており、吸気ポンプ１２の吸引による乾式清掃と、前記ボイラー１４からの蒸気の送出による湿式洗浄とを任意、選択的に行うことができるものである。
【００１０】
図３及び図４に示すように、加熱手段１４１は、モータ１２１と連動する第１の電熱ヒーター１４１１と、第１の電熱ヒーター１４１１から独立し、且つその仕事率が第１の電熱ヒーター１４１１より高い第２の電熱ヒーター１４１２とからなる上、モータ１２１及び第１の電熱ヒーター１４１１への給電を入り切りする第１のスイッチ１４１３と、第２の電熱ヒーター１４１２への給電を入り切りする第２のスイッチ１４１４とが別々に設けられている。それにより、電源投入時、第１のスイッチ１４１３だけがＯＮ（閉路状態）にされると、モータ１２１の作動と同時に第１の電熱ヒーター１４１１が作動して乾式清掃中にボイラー１４内の液体を予熱することができ、第２のスイッチ１４１４だけがＯＮ（閉路状態）にされると、第２の電熱ヒーター１４１２が作動してボイラー内１４の液体を加熱し蒸気を発生させることができる。ここで、第１の電熱ヒーター１４１１と第２の電熱ヒーター１４１２とは共にボイラー１４の底部に内蔵されており、第１の電熱ヒーター１４１１と第２の電熱ヒーター１４１２とモータ１２１とは電気的に並列され、第１の電熱ヒーター１４１１とモータ１２１とは共に第１のスイッチ１４１３に連動するように配線され、第２の電熱ヒーター１４１２は第２のスイッチ１４１４に連動するように配線されている。更に、本実施形態において、第１の電熱ヒーター１４１１として仕事率が３００ワットのものが使用され、第２の電熱ヒーター１４１２として仕事率が１４００ワットのものが使用されているが、これに限定されず、使用の目的や場合により、通常は、第１の電熱ヒーター１４１１として仕事率が３００〜５００ワット、第２の電熱ヒーター１４１２として仕事率が１０００〜１８００ワットの範囲で適当に設定されることができる。
【００１１】
また、ケーシング１１に吸引／送出口１１１が設けられており、且つ、吸気ポンプ１２のごみなどに対する吸引及びボイラー１４の蒸気送出は、いずれも該吸引／送出口１１１を通して行われるように構成されている。なお、吸気ポンプ１２で大気から吸引／送出口１１１と集塵容器１３とを経由して吸入し、そしてまた大気に戻らせるという吸引ルートが構成されており、且つ、集塵容器１３が吸気ポンプ１２の下に設置される上、集塵容器１３と吸気ポンプ１２との間に、吸引／送出口１１１から入るごみをろ過して落下させ集塵容器１３に収集させるフィルター１５が脱着可能に配置されている。このように、ごみの自重にもかかわり、ごみはほとんど吸気ポンプ１２に侵入せず、浄化された空気だけが大気中に排出される。
【００１２】
また、図１に示すように、通常、吸引／送出口１１１に、ホース１６、さらに吸引器具１７が着脱自在に連結されていて、それを介して乾湿掃除を行うことができるようになっている。
【００１３】
以上、本考案は、前記実施形態に限定されるものではなく、技術思想の範囲内において種々の変形が可能である。
【図面の簡単な説明】
【００１４】
【図１】本考案にかかる乾湿両用掃除機の一実施形態の斜視図
【図２】図１の実施形態の要部の側断面図
【図３】図１の実施形態の回路図
【図４】図１の実施形態の回路構成を示すブロック図
【符号の説明】
【００１５】
１        乾湿両用掃除機
１１      ケーシング
１１１    吸引／送出口
１２      吸気ポンプ
１２１    モータ
１３      集塵容器
１４      ボイラー
１４１    加熱手段
１４１１  第１の電熱ヒーター
１４１２  第２の電熱ヒーター
１４１３  第１のスイッチ
１４１４  第２のスイッチ
１５      フィルター
１６      ホース
１７      吸引器具
【図１】
0003115656.tif 000003
【図２】
0003115656.tif 000004
【図３】
0003115656.tif 000005
【図４】
0003115656.tif 000006